(57)【要約】【課題】既存コンクリート体の上方に僅かな隙間を空けてコンクリート体を構築する場合に、この構築対象となるコンクリート体の底型枠材を容易に支持でき、かつ、この底型枠材を容易に解体できる、コンクリート体の構築方法を提供すること。【解決手段】免震層の床スラブ２０の上面に砂を敷き込んで砂層４０を形成するステップＳ１、Ｓ２と、砂層４０の上に、構築対象となる大梁３０の底型枠材３３を設置するステップＳ３と、底型枠材３３の上にコンクリートを打設するステップＳ４と、砂層４０を構成する砂を圧縮空気で吹き飛ばして、床スラブ２０と底型枠材３３との間に隙間を形成するステップＳ６と、吹き飛ばした砂を吸引して回収するとともに、底型枠材３３を解体して撤去するステップＳ７、Ｓ８と、を含む。【選択図】図３
2019002154.tif 000002
【特許請求の範囲】
【請求項１】
既存コンクリート体の上方に所定の隙間を空けて新たなコンクリート体を構築するコンクリート体の構築方法であって、
前記既存コンクリート体の上面に砂を敷き込んで砂層を形成する工程と、
当該砂層の上に、構築対象となる新たなコンクリート体の底型枠材を設置する工程と、
当該底型枠材の上にコンクリートを打設する工程と、
前記砂層を構成する砂を圧縮空気で吹き飛ばして、前記既存コンクリート体と前記底型枠材との間に隙間を形成する工程と、
前記底型枠材を解体する工程と、を含むことを特徴とするコンクリート体の構築方法。
【請求項２】
前記砂層を形成する工程では、当該砂層の上面に発泡体を設けるとともに、当該発泡体と前記底型枠材との間にフィルムを敷設することを特徴とする請求項１に記載のコンクリート体の構築方法。
【請求項３】
前記砂層を形成する工程では、前記既存コンクリート体の上面に前記砂層の側面を覆う堰材を設置することを特徴とする請求項１または２に記載のコンクリート体の構築方法。
【発明の詳細な説明】
【技術分野】
【０００１】
本発明は、既存コンクリート体の上方に僅かな隙間を空けて新たにコンクリート体を構築するコンクリート体の構築方法に関する。
【背景技術】
【０００２】
従来より、砂を用いて、鉄筋コンクリート体の底型枠材を支持する方法が提案されている（特許文献１、２参照）。
特許文献１では、建物の逆打ち工法において、柱を構築する方法が示されている。まず、根切り底面上に砂型枠を設置し、この砂型枠の中に砂を充填する。次に、充填砂の面上に捨コンクリートを打設し、この捨てコンクリート上にコンクリートパネルを敷設し、捨コンクリートおよびコンクリートパネルの上面にプラスチックシートを敷き、柱主筋を配筋する。次に、捨コンクリート上に柱の側型枠材を建て込み、コンクリートを打設する。次に、コンクリートの硬化後に砂型枠および柱の側型枠材を解体し、充填砂を崩壊させて捨コンクリートおよびコンクリートパネルを解体する。
【０００３】
特許文献２では、逆打工法において、スラブを構築する方法が示されている。まず、構築階の梁よりも下方まで掘削し、掘削部底面に敷き砂を平滑に敷き均し、敷き砂上に均一に下地板を敷設して下地板上に、型枠ユニットにより梁型枠およびスラブ型枠を組み立てる。次に、各型枠内に配筋してコンクリートを打設し、打設コンクリートが所定の強度を発現したのち、次の下層を掘削することで敷砂を崩壊させるとともに、型枠を解体する。
しかしながら、既存コンクリート体の上に僅かな隙間を空けてコンクリート体を構築する場合、特許文献１、２の方法では、構築対象となるコンクリート体を形成するための底型枠材の支持および解体が困難であった。
【先行技術文献】
【特許文献】
【０００４】
【特許文献１】特開平１−７１９４２号公報
【特許文献２】特開平５−７９０４９号公報
【発明の概要】
【発明が解決しようとする課題】
【０００５】
本発明は、既存コンクリート体の上方に僅かな隙間を空けてコンクリート体を構築する場合に、この構築対象となるコンクリート体の底型枠材を容易に支持でき、かつ、この底型枠材を容易に解体できる、コンクリート体の構築方法を提供することを課題とする。
【課題を解決するための手段】
【０００６】
本発明者らは、床スラブ上方に僅かな隙間を空けて梁などのコンクリート体を構築する方法として、コンクリート体を形成するための底型枠材を大掛かりな支保工で支持せずに、床スラブの上面に砂層を形成し、その砂層上に平板状の発泡体、底型枠材の順で重ねて設置することで、所定高さを容易に確保できかつ簡単に解体撤去もできる点に着眼して、本発明に至った。本発明の特徴は、砂層で床スラブの局所的な凹凸を吸収して上面を平坦にするとともに、その砂層上に軽量で一定の弾性および剛性を有する平板状の発泡体を設置して、砂層および発泡体で底型枠材を支える点である。発泡体の撓みに対しては、砂層を形成する粒状体の一部が流動することにより、底型枠材をほぼ平坦な状態に維持できる。
【０００７】
第１の発明のコンクリート体の構築方法は、既存コンクリート体（例えば、後述の免震層の床スラブ２０）の上方に所定の隙間を空けて新たなコンクリート体（例えば、後述の大梁３０）を構築するコンクリート体の構築方法であって、前記既存コンクリート体の上面に砂を敷き込んで砂層（例えば、後述の砂層４０）を形成する工程（例えば、後述のステップＳ１、Ｓ２）と、当該砂層の上に、構築対象となる新たなコンクリート体の底型枠材（例えば、後述の底型枠材３３）を設置する工程（例えば、後述のステップＳ３）と、当該底型枠材の上にコンクリートを打設する工程（例えば、後述のステップＳ４）と、前記砂層を構成する砂を圧縮空気で吹き飛ばして、前記既存コンクリート体と前記底型枠材との間に隙間を形成する工程（例えば、後述のステップＳ６）と、前記底型枠材を解体する工程（例えば、後述のステップＳ７、Ｓ８）と、を含むことを特徴とする。
【０００８】
ここで、所定の隙間とは、既存コンクリート体の上方２０ｃｍ以下である。すなわち、本発明では、既存コンクリート体の上方２０ｃｍ以下の空間に下端面が位置するように、新たなコンクリート体を構築するものである。既存コンクリート体の上方２０ｃｍを超える高さ位置に下端面が位置するように新たなコンクリート体を構築する場合は、本発明の底型枠材の設置方法を採用しなくても、底型枠材の下に端太角等の型枠支持材を配置し、その型枠支持材を支保工で支持すればよいからである。
この発明によれば、既存コンクリート体の上面に砂層を形成し、その砂層上に底型枠材を配置した。このように底型枠材の支保工として砂層を用いることで、既存コンクリート体と構築対象となる新たなコンクリート体との間の隙間が狭くても、支保工の高さをかなり低くできるので、新たなコンクリート体の底型枠材を容易に支持できる。
また、コンクリート打設後に、コンプレッサなどによる圧縮空気により砂層の砂を吹き飛ばすことで、既存コンクリート体と底型枠材との間に隙間を形成して、底型枠材を含む型枠全体を容易に取り外すことができる。
また、掃除機などにより、吹き飛ばした砂を吸引することで、散乱した砂を容易に撤去できる。
【０００９】
第２の発明のコンクリート体の構築方法は、前記砂層を形成する工程では、当該砂層の上面に発泡体（例えば、後述の発泡体４２）を設けるとともに、当該発泡体と前記底型枠材との間にフィルム（例えば、後述の樹脂フィルム４３）を敷設することを特徴とする。
【００１０】
この発明によれば、砂層の上面に発泡体を設けることで、底型枠材を所定の弾性および剛性を有する発泡体で支持できるので、砂層の厚みをそれほど大きくしなくても、支保工を任意の高さに容易に設定できる。
また、砂層と底型枠材との間にフィルムを敷設したので、打設したコンクリート中の水分が砂層に浸透して砂層が硬化するのを防止できる。
【００１１】
第３の発明のコンクリート体の構築方法は、前記砂層を形成する工程では、前記既存コンクリート体の上面に前記砂層の側面を覆う堰材（例えば、後述の堰材４１）を設置することを特徴とする。
【００１２】
この発明によれば、既存コンクリート体の上面に、砂層の側面を覆う堰材を設置したので、砂層の端部が崩壊するのを防止でき、砂層を所定の高さに維持できる。
【発明の効果】
【００１３】
本発明によれば、既存コンクリート体の上に僅かな隙間を空けてコンクリート体を構築する場合に、この構築対象となるコンクリート体の底型枠材を容易に支持できるとともに、底型枠材を含む型枠全体を容易に解体できる。
【図面の簡単な説明】
【００１４】
【図１】本発明の一実施形態に係るコンクリート体の構築方法により構築された免震建物の構造体の縦断面図である。
【図２】図１中破線Ａで囲まれた部分の縦断面図および平面図である。
【図３】免震建物の大梁の構築方法のフローチャートである。
【図４】大梁の構築方法の説明図（その１、図２の破線Ｂで囲んだ部分）である。
【図５】大梁の構築方法の説明図（その２、図２のＣ−Ｃ断面図）である。
【発明を実施するための形態】
【００１５】
本発明は、床スラブ上に僅かな隙間を空けて設けられるコンクリート体（鉄筋コンクリート梁、鉄筋コンクリートブラケットなど）の構築方法として、床スラブの上面に砂を敷き均して砂層を形成し、その砂層上に底型枠材を設置し、その底型枠材を含む型枠材の内部にコンクリートを打設する。ここでいう、僅かな隙間とは、既存コンクリート体の上方２０ｃｍ以下であり、本発明は、既存コンクリート体の上方２０ｃｍ以下の空間に下端面が位置するように、新たなコンクリート体を構築する場合を対象とする。既存コンクリート体の上方２０ｃｍを超える高さ位置にコンクリート体を構築する場合は、本発明の底型枠材の設置方法を採用しなくても、型枠材の下に端太角等の型枠支持材を配置し、その型枠支持材を支保工で支持できるからである。
【００１６】
以下、本発明の一実施形態について、図面を参照しながら説明する。
図１は、本発明の一実施形態に係るコンクリート体の構築方法により構築された免震建物１の構造体の縦断面図である。
【００１７】
免震建物１は、５階建てであり、１階と２階との間に免震層２が設けられている。
免震層２の床面には、免震装置１０が設けられている。免震建物１の免震装置１０よりも下側の部分を下部構造体３とし、免震装置１０よりも上側の部分を上部構造体４とすると、免震建物１は、免震装置１０が設けられた下部構造体３と、この免震装置１０に水平移動可能に支持された上部構造体４と、を備える。
上部構造体４は、免震装置１０により水平移動可能に支持される。これにより、上部構造体４が免震化されている。
【００１８】
免震建物１では、１階床レベル以下の基礎部分が鉄筋コンクリート造、１階立上がりから免震層２の床レベルまでの部分が鉄骨鉄筋コンクリート造、上部構造体４の最下端である２階床レベルの部分が鉄骨鉄筋コンクリート造または鉄筋コンクリート造、２階立上がり以上の部分が鉄骨造、となっている。
【００１９】
図２（ａ）は、図１中破線Ａで囲まれた部分の縦断面図であり、図２（ｂ）は、図１中破線Ａで囲まれた部分の平面図である。
この免震建物１の図１中破線Ａで囲まれた部分には、下部構造体３を構成する既存コンクリート体としての免震層２の床スラブ２０と、この床スラブ２０の直上に位置して上部構造体４を構成する２階床レベルの大梁３０と、が設けられている。
大梁３０は、ポストテンション方式でプレストレスが導入された鉄筋コンクリート造の梁である。この大梁３０は、３スパン分の長さであり、大梁３０の両端側には、鋼製柱３１が埋設されて、免震装置１０により支持されている。また、この大梁３０には、図示しないシース管に挿入されたＰＣ鋼材３２が埋設されており、大梁３０のコンクリート打設後に、ＰＣ鋼材３２に緊張力（プレストレス）が導入されている。
【００２０】
大梁３０は、中央部で梁せいが大きくなっており、これにより、大梁３０の下面と免震層２の床スラブ２０との隙間が狭くなっている。具体的には、床スラブ２０の上方９０ｍｍの高さ位置に下端面が位置するように、大梁３０を構築する。よって、施工時には、既存コンクリート体である免震層２の床スラブ２０の上に僅かな隙間をあけて、新たに大梁３０を構築する。
【００２１】
この大梁３０の構築方法について、図４および図５を参照しながら、図３のフローチャートに従って説明する。
ステップＳ１では、免震層２の床スラブ２０の上面に砂を敷き込んで砂層４０を形成するとともに、免震層２の床スラブ２０の上面に砂層４０の側面を覆う木製の堰材４１を設置する。
【００２２】
ステップＳ２では、砂層４０の上面に平板状の発泡体４２を載置し、この発泡体４２の上に樹脂フィルム４３を敷設する。
ステップＳ３では、樹脂フィルム４３の上に、構築対象となる大梁３０の底面を覆う底型枠材３３を建て込む。これにより、樹脂フィルム４３が発泡体４２と底型枠材３３との間に介装されることになる。
【００２３】
実施例においては、砂層を高さ５３ｍｍで形成して、その砂層上に厚さ２５ｍｍの発泡断熱材（ダウ化工株式会社製のスタイロフォーム（登録商標））を設置し、その発泡断熱材の上面を厚さ０.１５ｍｍのポリエチレンシートで覆った。砂層には粒状径が０.０６ｍｍ〜２ｍｍ程度の市場流通品の砂を用いた。また、堰材には断面寸法が９０ｍｍ×９０ｍｍの杉角材を使用し、底型枠材には厚さ１２ｍｍのベニア合板を使用した。
【００２４】
ステップＳ４では、底型枠材３３の上に図示しない梁鉄筋を配筋する。次に、この底型枠材３３の両端に大梁３０の側面を覆う側型枠材３４を建て込んで、その後、底型枠材３３および側型枠材３４で囲まれた空間にコンクリートを打設する。
ステップＳ５では、コンクリート硬化後に、側型枠材３４を解体する。
【００２５】
ステップＳ６では、砂層４０を構成する砂をコンプレッサの圧縮空気で吹き飛ばして、免震層２の床スラブ２０と底型枠材３３との間に隙間を形成する。
ステップＳ７では、吹き飛ばした砂を掃除機（バキューム）で吸引して回収する。
ステップＳ８では、底型枠材３３、発泡体４２、および樹脂フィルム４３を解体して撤去する。
【００２６】
本実施形態によれば、以下のような効果がある。
（１）免震層２の床スラブ２０の上に砂層４０を形成し、その砂層４０上に底型枠材３３を配置した。このように底型枠材３３の支保工に砂層４０を用いることで、既存コンクリート体である免震層の床スラブ２０と構築対象となる大梁３０との間の隙間が狭い場合でも、支保工の高さをかなり低くできるので、大梁３０の底型枠材３３を容易に支持できる。
本発明は、既存コンクリート体である床スラブ２０の上方に僅かな隙間を空けて新たなコンクリート体である大梁３０を構築する方法であり、大梁３０の底型枠材３３を撤去するため、床スラブ２０の上面に敷設した砂層４０を撤去する必要があった。そこで、コンクリート打設後に、コンプレッサの圧縮空気により砂層の砂を吹き飛ばすことで、免震層２の床スラブ２０と大梁３０との間に隙間を形成したので、容易に底型枠材３３を取り外すことができる。
また、掃除機より吹き飛ばした砂を吸引することで、散乱した砂を容易に回収して撤去できる。
【００２７】
（２）砂層４０の上面に発泡体４２を設けることで、砂層４０の厚みをそれほど大きくしなくても、支保工を任意の高さに容易に設定できる。
また、発泡体４２と底型枠材３３との間に樹脂フィルム４３を敷設したので、打設したコンクリート中の水分が発泡体４２の下の砂層４０に浸透して砂層４０が硬化するのを防止できる。また、コンクリートの水分の発泡体４２内部への浸透を防止することで、発泡体４２の構造特性の低下を防止できる。
また、軽量で一定の弾性剛性を有する平板状の発泡体４２と、その発泡体４２の下の床スラブ２０上面の凹凸を吸収する砂層と、を組み合わせて、新たなコンクリートを構築するための底型枠材３３の支保工とすることで、この底型枠材３３を所定の高さ位置で容易に支持することができる。
【００２８】
（３）免震層２の床スラブ２０の上面に、砂層４０の側面を覆う堰材４１を設置したので、砂層４０の端部が崩壊するのを防止できる。
【００２９】
なお、本発明は前記実施形態に限定されるものではなく、本発明の目的を達成できる範囲での変形、改良等は本発明に含まれるものである。
例えば、本実施形態では、本発明を鉄筋コンクリート造の大梁３０に適用したが、これに限らず、鉄筋コンクリート造のスラブや、鉄骨鉄筋コンクリート造の梁にも適用できる。
また、本実施形態では、本発明を免震層の大梁３０の構築に適用したが、これに限らず、免震層の上下の床スラブ間で減衰装置を固定するための鉄筋コンクリート造のブラケットの構築に適用してもよい。
また、本実施形態では、本発明を免震層に適用したが、これに限らず、免震層以外の階に適用してもよい。
また、本実施形態では、発泡体４２と底型枠材３３との間に樹脂フィルム４３を敷設したが、例えば打設するコンクリート量が少ない場合には、樹脂フィルムを設けなくてもよい。
【符号の説明】
【００３０】
１…免震建物  ２…免震層  ３…下部構造体  ４…上部構造体
１０…免震装置  ２０…免震層の床スラブ（既存のコンクリート体）
３０…大梁（新たなコンクリート体）  ３１…鋼製柱  ３２…ＰＣ鋼材
３３…底型枠材  ３４…側型枠材
４０…砂層  ４１…堰材  ４２…発泡体  ４３…樹脂フィルム
【図１】
2019002154.tif 000003
【図２】
2019002154.tif 000004
【図３】
2019002154.tif 000005
【図４】
2019002154.tif 000006
【図５】
2019002154.tif 000007